(57)【要約】【課題】特に植物の生育が一般に困難とされる冬場等の寒期に植物を生育させるための専用の植物生育用トレーに関し、植物の生育に必要な降雨等の自然水を利用することができ、しかもハウスと同様の温室効果を生じさせることのできる専用の植物生育用トレーを提供することを課題とする。【解決手段】植物を生育させる基盤を収容しうるトレー本体１と、該トレー本体１の開口部分を閉塞可能な蓋体２とからなり、且つ蓋体２には、前記トレー本体１内に水を流入させるための流入用孔１０が穿設されていることを特徴とする。【選択図】    図３
2004290097.tif 000002
【特許請求の範囲】
【請求項１】
植物を生育させる基盤を収容しうるトレー本体（１）  と、該トレー本体（１）  の開口部分を閉塞可能な蓋体（２）  とからなり、且つ蓋体（２）  には、前記トレー本体（１）  内に水を流入させるための流入用孔（１０）が穿設されていることを特徴とする植物生育用トレー。
【請求項２】
水を集水するための凹部（８）  が蓋体（２）  に形成されているとともに、該凹部（８）  の底面部（９）  に流入用孔（１０）が穿設されている請求項１記載の植物生育用トレー。
【発明の詳細な説明】
【０００１】
【発明の属する技術分野】
本発明は、植物生育用トレー、特に植物の生育が一般に困難とされる冬場等の寒期に植物を生育させるための専用の植物生育用トレーに関する。
【０００２】
【従来の技術及び発明が解決しようとする課題】
一般に、冬場等の寒期においては、気温が低いために植物の生育が不良となる。このため、生育のための基盤である土とともに植物を収容した鉢等を屋外に放置しておいても、屋外の温度が低いので植物が十分に生育しない。
【０００３】
このため、冬場等の寒期には、ビニールハウス等を利用していわゆるハウス栽培で植物を生育させることも行われているが、ハウス内に植物を収容した鉢を入れた場合、降雨等の自然水が遮断されることになる。従って、植物生育のために別途灌水等を行う必要がある。
【０００４】
このように、屋外に放置して生育させると降雨等の自然水を利用できるが低い気温で生育が不良となり、ハウス等を利用する場合には、外気と遮断されるので植物の生育を阻害しない程度の温度を維持する温室効果が得られるが別途灌水等が必要となるという、それぞれに相反する問題が生じていた。
【０００５】
一方、近年、都会における環境破壊防止の観点等から、ビル、その他の建造物の壁面や屋上の緑化を行うことが試みられている。このような壁面の緑化に関し、たとえば植物の種や根等を土に埋めたものをパネル状や容器状のもの等に収容して壁面に設置し、或いはブロック状にして壁面に設置する等によって壁面の緑化を行う技術も開発されている。
【０００６】
このような緑化のための施工は、たとえば年度末の予算枠組みの関係で冬場等に多く行われる傾向もあるが、植物が屋外に設置されることに変わりはなく、上記のような問題が同様に生ずることとなる。また、壁面や屋上の緑化の場合には、降雨等の自然水は利用できるものの、ハウスを利用することはできない。
【０００７】
本発明は、以上のような問題点を解決するためになされたもので、植物の生育に必要な降雨等の自然水を利用することができ、しかもハウスと同様の温室効果を生じさせることのできる専用の植物生育用トレーを提供することを課題とする。
【０００８】
【課題を解決するための手段】
本発明は、このような課題を解決するためになされたもので、その課題を解決するための手段は、植物を生育させる基盤を収容しうるトレー本体１と、該トレー本体１の開口部分を閉塞可能な蓋体２とからなり、且つ蓋体２には、前記トレー本体１内に水を流入させるための流入用孔１０が穿設されていることである。
【０００９】
このような構成からなる植物生育用トレーを使用する場合には、トレー本体１に、たとえば土や植物、或いはこれらを保持する土留用マット等を収容し、蓋体２でトレー本体１の開口部分を閉塞する。
【００１０】
このように蓋体２でトレー本体１の開口部分を閉塞させることで、蓋体２とトレー本体１とで形成される閉鎖空間部内に植物等が収容された状態となるので、ハウスと同様の温室効果が生ずることとなる。
【００１１】
しかも、蓋体２には、上記のような流入用孔１０が穿設されているので、その流入用孔１０から降雨の雨水等がトレー本体１内に流入し、灌水を行うのと同様の効果が得られることとなる。
【００１２】
また蓋体２には、降雨の雨水等を集水するための凹部８を形成することが可能であり、この凹部８の底面部９に流入用孔１０を穿設すると、凹部８によって雨水等の集水効果が得られるとともに、集水された雨水等が凹部８の底面部９に穿設された流入用孔１０からトレー本体１内に流入するので、雨水等をより効果的に利用することができる。
【００１３】
【発明の実施の形態】
以下、本発明の実施形態について、図面に従って説明する。
【００１４】
一実施形態の植物生育用トレーは、図１乃至図５に示すように、トレー本体１と、該トレー本体１に被嵌される蓋体２とで構成されている。これらトレー本体１や蓋体２は、図１及び図３に示すように、平面略正方形状に形成されており、全体が合成樹脂で構成されている。合成樹脂としては、ポリエチレン、ポリプロピレン、ポリアミド系合成繊維、ポリエステル等任意のものを使用することも可能である。
【００１５】
トレー本体１には、図１及び図２に示すように、平面略正方形状の凹部３が縦横に多数形成されており、この凹部３に土が収容されることになる。
凹部３は、本実施形態では縦横に計２５個形成されているが、そのうちの四隅コーナー部の凹部３のみが平面略三角形状に形成されている。
【００１６】
またトレー本体１の四隅のコーナー部の上部には、平面略三角形状の載置部４が形成されている。この載置部４は、蓋体２を載置する部分になるとともに、トレー本体１内に収容される土留用マット等を保持する機能をも有するものである。また、トレー本体１のコーナー部近傍の底面４箇所には、排水用孔５が穿設されている。
【００１７】
蓋体２は、図４に示すように、天板部６と、該天板部６の周囲から立ち下がり形成された立ち下がり片７とで構成されている。蓋体２には、縦横に多数の凹部８，…が形成されている。そして、この凹部８の底面部９には、降雨による雨水等を流入させるための流入用孔１０が穿設されている。この流入用孔１０は、各凹部８の底面部９にそれぞれ５箇所ずつ形成されている。
【００１８】
そして、このような構成からなる植物生育用トレーを使用する場合について説明すると、先ず図６に示すように、トレー本体１の凹部３内に土１２を収容し、さらに植物の種子や土等を保持するための土留用マット１１をトレー本体１内に収容する。その土留用マット１１には土を保持させ、さらに植物の種子を保持させている。本実施形態では、苔の種子を用いている。
【００１９】
また、土留用マット１１は詳細には図示しないが、本実施形態ではパイル糸を縦横に編成して構成された上面部と、同様に編成して構成された下面部と、該上面部及び下面部に連成される連成部とで構成されたものを用いている。パイル糸は、たとえばポリプロピレン、ポリエチレン、ポリアミド系合成繊維、ポリエステル等のモノフィラメントやヤーンを複数本束ねて、トータルデニールが１０００〜１００００ｄ、好ましくは１８００〜６０００ｄ  を有するように構成されたものである。そして、この土留用マット１１は、上記のような上面部、下面部、連成部がパイル糸で編成されて、厚みが約１．５  〜３ｃｍとなるべく、直方体のごとき立体的形状が保持されるとともに、内部に多数の空間が存在するように構成されている。
【００２０】
次に、土及び種子が土留用マット１１に保持された後、蓋体２をトレー本体１に被嵌させる。この場合、蓋体２の立ち下がり片７がトレー本体１の載置部４に載置され、蓋体２とトレー本体１との間には空間部１３が形成されることとなる。また、土及び種子を保持した土留用マット１１は、蓋体２とトレー本体１とで閉塞されることとなる。
【００２１】
このようにして土及び種子を保持した土留用マット１１が内部に収容された植物生育用トレーは、緑化のための施工現場へ運搬され、その現場に設置される。
【００２２】
植物生育用トレーが設置される箇所は、当然屋外であるが、内部に収容されている土留用マット１１は、上記のように蓋体２とトレー本体１とで閉塞されており、しかも蓋体２とトレー本体１との間に空間部１３が形成されているので、植物生育用トレーの内部においてハウスで植物を栽培するのと同様の温室効果が生じ、従って冬場等の寒期においても、植物の生育が不良となることもない。
【００２３】
一方、冬場等の寒期においても、降雨時には雨水が蓋体２に穿設された多数の流入用孔１０からトレーの内部に流入し、土留用マット１１に浸透するので、灌水を行うのと同様の効果が生ずる。特に、この流入用孔１０は、蓋体２の縦横に多数形成された凹部８の底面部９に穿設されているので、降雨による雨水が一旦凹部８に集水され、その上で流入用孔１０からトレー内に雨水が流入するので、トレー内への水の流入が効率的に行われることとなる。
【００２４】
このように水がトレー内に流入し、土留用マット１で保持された土に保水されることによって、植物の種子からの発芽が促進され、植物の成育が維持されることとなるのである。
【００２５】
また、トレー本体１の底面部には排水用孔５が穿設されているため、この排水用孔５から余分な水が排出され、根腐れ等を生じさせることもない。
【００２６】
（その他の実施形態）
尚、上記実施形態では、蓋体２に多数の凹部８を形成し、その凹部８の底面部９に流入用孔１０を穿設したため、上述のような集水による効率的な水の流入効果が得られたが、このような凹部８を形成することは本発明に必須の条件ではない。たとえば蓋体２の天板部６の全面を平坦に形成し、その平坦な天板部６に多数の流入用孔１０を穿設することも可能である。
【００２７】
また、穿設される流入用孔１０の数も問わないが、蓋体２の全体に点在して多数形成されると、トレー内部の全体に水がいきわたるので好ましい。
同様に、上記凹部８も多数形成される方が、集水効果が良好となる。
【００２８】
さらに、トレー本体１や蓋体２の材質も該実施形態の平面略正方形状に限定されるものではない。また、その材質も合成樹脂に限定されない。
【００２９】
さらに、上記実施形態では、土留用マット１１が、パイル糸を編成した上面部と、同様に編成した下面部と、該上面部及び下面部に連成される連成部とで構成されていたが、土留用マット１１の構造はこれに限定されるものではない。上下に基布を配置し、パイル糸を縦に配置せずに、三次元状に無作為に編成したような構造のものであってもよい。
【００３０】
また、土留用マットを用いることも本発明に必須の条件ではなく、たとえば土と植物のみを収容することも可能である。
【００３１】
さらに、上記実施形態では、植物として苔を用いる場合について説明したが、植物の種類はこれに限定されるものではなく、たとえばセダムのようなものに使用することも可能であり、さらに、それ以外の植物に使用することも可能である。さらに上記実施形態のような種子に限らず、苗を用いることも可能であり、さらには幼植物体を使用することも可能である。
【００３２】
また、本発明のトレーは、壁面や屋上等の緑化用としてだけではなく、庭園等に単に設置することも可能であり、その設置箇所や用途も問うものではない。
【００３３】
その他、トレー本体１に載置部４や排水用孔５を形成すること等は、任意に設計変更可能である。
【００３４】
【発明の効果】
以上のように、本発明は、植物を生育させる基盤を収容しうるトレー本体と、トレー本体の開口部分を閉塞する蓋体とからなり、且つ蓋体には、トレー本体内に水を流入させるための流入用孔を穿設したものであるため、トレー本体と蓋体とで包囲される空間部が外気と遮断され、またトレー本体と蓋体との間の空間部に収容される植物に対して、ハウスを用いる場合のような温室効果が生じ、冬場等の寒期に屋外に設置されていても、植物の生育が不良になることがないという効果がある。
【００３５】
また、蓋体に穿設された流入用孔から降雨時の雨水のような自然水が流入することになるので、ハウス栽培のように灌水を行わなくとも灌水と同様の効果が得られ、灌水の不足により生育が風呂油となることもない。
【００３６】
特に、蓋体に凹部を形成し、その凹部の底面部に流入用孔を穿設する場合には、凹部によって雨水等の集水効果が得られるとともに、集水された雨水等が凹部の底面部に穿設された流入用孔からトレー本体内に流入するので、雨水等をより効果的に利用することができるという効果がある。
【００３７】
このように、本発明においては、従来において生じていた問題点、すなわち屋外に放置して生育させると雨水等を利用できるが低い気温で生育が不良となり、ハウス等を利用する場合には外気と遮断されて温室効果が得られるが別途灌水等が必要となるという、相反する問題点を同時に解決するに至った。
【図面の簡単な説明】
【図１】一実施形態としてのトレー本体の平面図。
【図２】図１のＡ−Ａ線概略断面図。
【図３】蓋体の概略平面図。
【図４】図３のＢ−Ｂ線断面図。
【図５】図３のＣ−Ｃ線要部拡大断面図。
【図６】トレー本体に土留め用マット及び土を収容した状態の概略断面図。
【図７】トレー本体を蓋体で閉塞した状態の概略断面図。
【符号の説明】
１…トレー本体            ２…蓋体
８…凹部                  １０…流入用孔
【図１】
2004290097.tif 000003
【図２】
2004290097.tif 000004
【図３】
2004290097.tif 000005
【図４】
2004290097.tif 000006
【図５】
2004290097.tif 000007
【図６】
2004290097.tif 000008
【図７】
2004290097.tif 000009